(57)【要約】【課題】  感電事故の危険が少なく、しかも熱陰極蛍光ランプ用の配線器具を流用可能な冷陰極蛍光ランプを実現する。【解決手段】  冷陰極蛍光管Ｌ１、Ｌ２を筒状のランプカバー１内に収容すると共に、ランプピンをランプカバーの口金から突設した冷陰極蛍光ランプにおいて、ランプピン４、４から給電される電源の電圧を昇圧させて冷陰極蛍光管に供給する昇圧トランス５を口金付近に配する。【選択図】      図１
2014011089.tif 000002
【特許請求の範囲】
【請求項１】
冷陰極蛍光管をランプカバー内に収容すると共に、ランプピンをランプカバーの口金から突設した冷陰極蛍光ランプにおいて、ランプピンから給電される電源の電圧を昇圧させて冷陰極蛍光管に供給する昇圧トランスを口金付近に配したことを特徴とする冷陰極蛍光ランプ。
【請求項２】
昇圧トランスを口金内に収容した請求項１記載の冷陰極蛍光ランプ。
【請求項３】
口金およびランプピンの寸法および形状に関し熱陰極蛍光ランプとの互換性を持たせた請求項１または２記載の冷陰極蛍光ランプ。
【請求項４】
ランプは筒状のランプカバーの両端に口金およびランプピンを有する形式のものであり、昇圧トランスは片方の口金内のみに収容されるとともに、給電されるランプピンは昇圧トランスが収容される口金のみであり、他方の口金のランプピンには給電されない請求項２または３に記載の冷陰極蛍光ランプ。
【請求項５】
ランプは筒状のランプカバーの両端に口金およびランプピンを有する形式のものであり、昇圧トランスは両端それぞれの口金に収容されるとともに、両端それぞれの口金のランプピンから給電される請求項２または３に記載の冷陰極蛍光ランプ。
【発明の詳細な説明】
【技術分野】
【０００１】
本願発明は冷陰極蛍光管を内蔵したランプに関し、より詳細には感電事故の危険が少なく、しかも熱陰極蛍光ランプ用の配線器具を流用可能な冷陰極蛍光ランプに関する。
【背景技術】
【０００２】
冷陰極蛍光管は電極にフィラメントを有しないので、非常に管径が細いものが可能となるという特長を有する。また、点滅点灯に強いために寿命も長く、さらに、構造や点灯回路の構成が比較的簡単なので低コストで済むという特長を有する。
【０００３】
一般的に冷陰極蛍光管の被装着側装置への装着は、購買者において自ら交換をすることを前提としていなかったので、ランプの両端の電極線を電源側の導体に半田付けすることによって行っていた（特許文献１）。
【０００４】
これに対し、口金およびランプピンの寸法および形状に関し熱陰極蛍光ランプとの互換性を持たせることにより、既存の照明器具に着脱自在とした冷陰極蛍光ランプも提案されている（特許文献２）。
【先行技術文献】
【特許文献】
【０００５】
【特許文献１】特開２００２−３２４５９２号公報
【特許文献２】実用新案登録第３１６８７３７号公報
【発明の概要】
【発明が解決しようとする課題】
【０００６】
冷陰極蛍光管の装着構造として、口金から突設されたランプピンをランプソケットに挿入する一般の熱陰極蛍光ランプで採用している形式のものを採用できれば便利である。
【０００７】
しかしながら、冷陰極管は固体電極なのでそれを駆動するには１０００Ｖ以上の高電圧を供給しなければならなかった。よって、それを一般人が取り扱うことを想定した場合、高電圧に対応して漏れ電流検知回路やインターロック回路などの感電事故の防止策を考慮しなければいけなかった。
【０００８】
一方、一般の熱陰極蛍光ランプ用のソケットはその定格電圧が５００Ｖ程度なので、高電圧が流れる冷陰極蛍光管にそれをそのまま流用することができなかった。
【課題を解決するための手段】
【０００９】
この発明は以上の問題点に鑑みて創作されたものであり、感電事故の危険が少なく、しかも熱陰極蛍光ランプ用の配線器具を流用可能な冷陰極蛍光ランプを提供することを目的とする。すなわち、この発明の冷陰極蛍光ランプは冷陰極蛍光管をランプカバー内に収容すると共に、ランプピンをランプカバーの口金から突設した冷陰極蛍光ランプにおいて、ランプピンから給電される電源の電圧を昇圧させて冷陰極蛍光管に供給する昇圧トランスを口金付近に配したことを特徴とする。
【００１０】
また、請求項２記載の発明は前記の冷陰極蛍光ランプにおいて、昇圧トランスを口金内に収容したことを特徴とする。
【００１１】
また、請求項３記載の発明は前記の冷陰極蛍光ランプにおいて、口金およびランプピンの寸法および形状に関し熱陰極蛍光ランプとの互換性を持たせたことを特徴とする。
【００１２】
また、請求項４記載の発明は前記の冷陰極蛍光ランプにおいて、ランプは筒状のランプカバーの両端に口金およびランプピンを有する形式のものであり、昇圧トランスは片方の口金内のみに収容されるとともに、給電されるランプピンは昇圧トランスが収容される口金のみであり、他方の口金のランプピンには給電されないことを特徴とする。
【００１３】
また、請求項５記載の発明は前記の冷陰極蛍光ランプにおいて、ランプは筒状のランプカバーの両端に口金およびランプピンを有する形式のものであり、昇圧トランスは両端それぞれの口金に収容されるとともに、両端それぞれの口金のランプピンから給電されることを特徴とする。
【発明の効果】
【００１４】
この発明によれば、ランプピンから給電される電源の電圧を昇圧させて冷陰極蛍光管に供給する昇圧トランスを口金付近に配しているので、照明器具から給電する電圧を低くすることができ、感電事故の危険が減少することとなる。
【００１５】
また、請求項３記載の発明のように口金およびランプピンの寸法および形状に関し熱陰極蛍光ランプとの互換性を持たせた場合でも、照明器具から給電する電圧を低くすることができるので定格電圧以下でのソケットの使用が可能となる。
【００１６】
一方、請求項２記載の発明のように昇圧トランスを口金内に収容すれば、冷陰極蛍光管からの発光の妨げとならず、また、外観上も冷陰極蛍光ランプの体裁を損なうことがない効果を得られる。
【図面の簡単な説明】
【００１７】
【図１】この発明の冷陰極蛍光ランプの断面図。
【図２】同上、平面図。
【図３】同上、正面図。
【図４】同上、側面図。
【図５】同上、要部の一部切り欠き斜視図。
【図６】同上、要部の一部切り欠き斜視図。
【発明を実施するための形態】
【００１８】
図１はこの発明の冷陰極蛍光ランプの実施例を示す図であり、ここでは口金およびランプピンの寸法および形状に関し直管型の熱陰極蛍光ランプとの互換性を持たせたものを想定している。
【００１９】
図中符号１は円筒形のランプカバーであり、内部に２本の冷陰極蛍光管Ｌ１、Ｌ２が収容される。この実施例ではこれらの冷陰極蛍光管Ｌ１、Ｌ２はランプカバー１内に嵌挿されるホルダー２の保持部に挿通されることにより保持される。
【００２０】
図中符号３、６は蛍光ランプを一対のソケット間に装着するための口金であり、不透明素材からなる合成樹脂によりカップ状のものがランプカバー１の両端に嵌入可能に構成される。一方の口金３の表側にはソケットに挿入して給電されるためのランプピン４、４が突設される。なお、反対側の口金６のランプピン７、７はソケットに装着するために機能するダミーであり給電はされない。
【００２１】
図中符号５は昇圧トランスであり、この実施例においては一方の口金３の内部に収容される。この昇圧トランス５は一次側がソケットに挿入して給電されるためのランプピン４、４に接続され、二次側が冷陰極蛍光管Ｌ１、Ｌ２に接続される（図５参照）。冷陰極蛍光管Ｌ１、Ｌ２の他端は互いに接続されている（図６参照）。この実施例では昇圧トランス５としては４００Ｖの一次側電圧を４倍に昇圧するものを例示するが、昇圧の程度はこれに限られないことは勿論である。また、冷陰極蛍光管の本数は２本に限らず、Ｕ字管状のものを採用してもよいことはもちろんである。
【００２２】
なお、この実施例では前記のランプカバー１は光拡散性能を向上させるための処理が施されたポリカーボネートにより構成される。
【００２３】
以上の実施例においては、昇圧トランスは一方の口金にのみ収容したが、昇圧トランスをランプ両端のそれぞれの口金に収容し、両端それぞれの口金のランプピンから給電するプッシュブル方式としてもよいことは勿論である。
【符号の説明】
【００２４】
１        ランプカバー
２        口金
４        ランプピン
５        昇圧トランス
【図１】
2014011089.tif 000003
【図２】
2014011089.tif 000004
【図３】
2014011089.tif 000005
【図４】
2014011089.tif 000006
【図５】
2014011089.tif 000007
【図６】
2014011089.tif 000008